(57)【要約】      （修正有）【課題】擬似的に空間の拡がりや立体感を感じさせ、内部にいる者にとって安らぎや明るさを演出し、精神的な健康を保持させることができるパーティションの構造を提供する。【解決手段】第一パーティション材の表面に、透光性を有する可塑材で三次元的に変形成形されたベース部材を少なくとも一以上着脱自在に装着し、そのベース部材の表面に物体装着用のフック部を一体的に有しており、かつ、そのベース部材の前面を透光性を有する第二パーティション材で垂覆してあることとする。【選択図】図１
0003129167.tif 000002
【実用新案登録請求の範囲】
【請求項１】
第一パーティション材の表面に、透光性を有する可塑材で三次元的に変形成形されたベース部材を少なくとも一以上着脱自在に装着し、そのベース部材の表面に物体装着用のフック部を一体的に有しており、かつ、そのベース部材の前面を透光性を有する第二パーティション材で垂覆してあることを特徴とするパーティション構造。
【請求項２】
前記した第一及び第二パーティション材はレース地のカーテンとし、ベース部材はシート状のプラスチックを用いてあり、その外表面には適宜塗料による描出がなされていることを特徴とする請求項１に記載のパーティション構造。
【請求項３】
前記した第一パーティション材にはＬＥＤをはじめとする光源が付設されていることを特徴とする請求項１または請求項２に記載のパーティション構造。
【考案の詳細な説明】
【技術分野】
【０００１】
本考案はパーティション構造、特に、空間を仕切り、遮光を主目的とする室内の窓部に設置されるカーテン構造の改良に関する。
【背景技術】
【０００２】
一般的に、カーテンをはじめとするパーティション材は空間を仕切り、独立した区域を構成することを目的としており、特にその独立性を強めるため遮光性が一つの要素とされている。また、パーティション材はその区切られた区域の雰囲気の大きな原因ともなるため、暖色系や寒色系等の目的に応じた色彩、あるいは模様を施したものが選択使用されることとなる。
【０００３】
しかし、このカーテンをはじめとするパーティション材の使用は色彩や模様に工夫をしたとしても、その区切られた内部が狭く感じられるもので、特に入院中の病室や療養中の部屋等にあってはその感が強く、圧迫感も生じ、場合によっては精神的疲労（ストレス）、神経的負担を感じてしまい、内部の者にとって精神的に決して良いものとはいえない。
【特許文献１】出願人は本願考案に関し、先行する技術文献の調査を行なったが、格別に本願考案と関連し、あるいは類似すると思われる文献は発見できなかった。
【考案の開示】
【考案が解決しようとする課題】
【０００４】
本考案が解決しようとする問題点は、従来のカーテンをはじめとするパーティション部材には、擬似的に空間の拡がりや立体感を感じさせ、内部にいる者にとって安らぎや明るさを演出し、精神的な健康を保持させることができるものが存在していなかったという点である。
【課題を解決するための手段】
【０００５】
この問題点を解決するために、本考案に係るパーティション構造は第一パーティション材の表面に、透光性を有する可塑材で三次元的に変形成形されたベース部材を少なくとも一以上着脱自在に装着し、そのベース部材の表面に物体装着用のフック部を一体的に有しており、かつ、そのベース部材の前面を透光性を有する第二パーティション材で垂覆してあることを特徴としている。
【０００６】
また、本考案に係るパーティション構造は前記した第一及び第二パーティション材はレース地のカーテンとし、ベース部材はシート状のプラスチックを用いてあり、その外表面には適宜塗料による描出がなされていることを特徴とし、前記した第一パーティション材にはＬＥＤをはじめとする光源が付設されていることを特徴としている。
【考案の効果】
【０００７】
本考案に係るパーティション構造は上記のように構成されている。そのため、例えば各種の風景や、天体等を装着される物品や光源と併せ遠近をもった立体像として見ることができ、狭い空間も擬似的に広々と、しかも好みの自然をも感じながら、認識されることとなり、内部の者にとって妙な圧迫感から解放され、精神衛生上良好な状況を作り出すことができるものとなっている。
【考案を実施するための最良の形態】
【０００８】
図面として示す実施例のように構成することで実現した。
【実施例１】
【０００９】
次に、本考案の好ましい実施の一例を図面を参照して説明する。図１は本考案の実施に使用されるベース部材の一例を示す斜視図、図２は同じく実施状態を示す断面図、図３は同じく正面図、図４Ａ、Ｂは各々ベース部材の変形例を示す斜視図である。
【００１０】
これらの図にあって１はベース部材を示しており、このベース部材１は本実施例にあっては透明のシート状のプラスチック、特にセルロイドを湾曲させて成形してあり、この湾曲された底部から外側縁までの厚さは約３ｃｍを想定している。
【００１１】
このベース部材１の形状は図４として示すように連続する波形のもの１ａや半円形のもの１ｂ等とすることもでき、あるいはチップ状として細かく形成したものを複数使用すること等も可能である。
【００１２】
これらのベース部材１、あるいは１ａ、１ｂ等は第一パーティションとなる窓に接する側（外側）のカーテン２の内側表面の演出を行なおうとするパートに着脱自在、例えば接着テープや周囲に透孔を形成しての縫着等の適宜手段により取り付けられる。この取り付けはベース部材１等を単体としてのみならず、並設あるいは種々の形態のものを組み合わせて行なうことができる。
【００１３】
また、このベース部材１、１‥の前面となる凹面部分には、山、海、林、野原等々のほか、天体等好みの絵柄を塗料、絵の具等を用いて描出することができ、あるいは好みの写真等を貼着することもできるものとなっている。
【００１４】
さらに、ベース部材１、１‥の凹面側表面には少なくとも一以上、通常は複数のフック部３、３‥が一体的に設けられており、このフック部３は断面コ字状あるいはＬ字状とされている。このフック部３、３‥には実物の草花や小枝、あるいは造花、その他諸々の物品４を係止させ、全体としての眺めをより立体的にすることができるようにしてあり、加えて、このフック部３、３にも描出を行なうことで、その立体感はより一層強調されることとなる。
【００１５】
そして、この種々の装着が施されたベース部材１、１‥の前面には、そのベース部材１、１‥の保有する厚さ約３ｃｍをおいて第二パーティション材としての透光性、透可視性を有するレース地のカーテン５が垂覆される。即ち、ベース部材１、１‥は外側となるカーテン２と内側となるカーテン５の間に介在され、室内側からは内側となるカーテン５を透して風景等が描かれ、フック部３、３‥に物品４が係止された状態とされているベース部材１、１‥を眺めることができるものとなる。
【００１６】
また、外側となり、ベース部材１、１‥が取り付けられるカーテン２にはＬＥＤ等の光源体６、６‥を適宜配備することもでき、この光源体６、６‥によってベース部材１、１‥を背面あるいは側方から照射することで、その立体感はより一段と高められる。即ち、光源体６、６‥からの光の照射により浮き出されるパートと影のパートがより明瞭となり、立体感が増すこととなるのである。
【００１７】
さらに、ベース部材１、１‥は装着される物品４と合わせても重量的にはさ程のものではないが、取り付けられるカーテン２自体の重量による損傷を考慮して、補強帯７を介在させておくこともできる。この補強帯７の存在があると重量負荷はこの補強帯７にかかることとなり、カーテン２自体への負荷が軽減される。
【００１８】
そして、このベース部材１、１‥はカーテン２に対して着脱自在となっているため、取り外すことによってカーテン２の洗濯も容易に行なうことが可能となっている。
【産業上の利用可能性】
【００１９】
本考案に係るパーティション構造は上記のように構成されている。実施例ではパーティション材としてカーテンを用いて説明しているが、これはカーテンに限らず、ブラインドやアコーディオンカーテン、衝立、屏風等のほか、建造済の壁等も対象とすることができる。加えて、本考案は室内のみに限らず、バスやトラック、宣伝カー、電車車両等の輸送機械にも幅広く応用実施することができる。
【００２０】
さらには、ベース部材は三次元的に変形するものであるが、この変形の仕方によっては全体として、あるいは部分的にも揺れ動くような景観を演出してやることも可能で、場合によっては音響を加味し、表出される風景等と合致させ、視覚のみならず、聴覚的にも閉塞感を取り除いてやるように構成することも可能である。
【図面の簡単な説明】
【００２１】
【図１】本考案の実施に使用されるベース部材の一例を示す斜視図である。
【図２】実施状態を示す断面図である。
【図３】正面図である。
【図４】Ａ、Ｂは各々ベース部材の変形例を示す斜視図である。
【符号の説明】
【００２２】
１    ベース部材
１ａ  ベース部材
１ｂ  ベース部材
２    外側のカーテン
３    フック部
４    物品
５    内側のカーテン
６    光源体
７    補強帯
【図１】
0003129167.tif 000003
【図２】
0003129167.tif 000004
【図３】
0003129167.tif 000005
【図４】
0003129167.tif 000006